(57)【要約】【課題】  簡単に折畳んで収納または広げて展開することができるランニングマシーンを提供する。【解決手段】  台座１２、および台座１２に固定されるランニング台３４を有する本体１０を備え、ランニング台３４は、ランニングベルト３６と端部がそれぞれ本体１０に枢設されている２つの支持桿３８とを有する。各支持桿３８は支持桿３８自身の軸方向に沿って第１ポジションと第２ポジションとの間を回転可能で、ランニング台３４に向かって折畳み収納位置にまで反転、またはランニング台３４を離れランニングマシーンを広げて展開する位置まで反転することができる。支持桿３８が第１ポジションおよびランニングマシーンを広げる位置に移動する時、ランニングマシーンは展開された状態にあり、支持桿３８が第２ポジションおよび折畳み収納位置に移動する時は、折畳んで収納された状態にある。【選択図】    図２
2007054272.tif 000002
【特許請求の範囲】
【請求項１】
折畳み式ランニングマシーンにおいて、
台座と、前記台座に固定されランニングベルトを備えたランニング台とを有する本体と、
一端がそれぞれ本体に枢設される２つの支持桿とを備え、
前記支持桿は支持桿自身の軸方向に沿って第１ポジションと第２ポジションとの間を回転可能であり、前記ランニング台に向かって折畳み収納位置まで反転し、あるいは、前記ランニング台を離れ展開位置まで反転し、前記支持桿が第１ポジションおよび展開位置に移動すると展開状態となり、前記支持桿が第２ポジションおよび折畳み収納位置に移動するると折畳み収納状態になることを特徴とする折畳み式ランニングマシーン。
【請求項２】
上方に少なくとも１つのスクリーンを有し、取り外し可能な方式によって前記２つの支持桿と結合することが可能なパネルを備えることを特徴とする請求項１に記載の折畳み式ランニングマシーン。
【請求項３】
前記支持桿を貫通し、前記パネルの電気回路板に連接する電線を備え、前記電線は前記スクリーンに連接し、前記電気回路板に設置され、前記ランニングベルトを駆動させるモータに連接することを特徴とする請求項２に記載の折畳み式ランニングマシーン。
【請求項４】
前記台座は２つの枢設台座を有し、前記２つの支持桿はそれぞれ前記枢設台座に枢接することを特徴とする請求項１に記載の折畳み式ランニングマシーン。
【請求項５】
前記各支持桿は２つの溝を有し、止め金によって前記枢接台座および前記２つの溝を貫通することを特徴とする請求項４に記載の折畳み式ランニングマシーン。
【請求項６】
前記各枢接台座は開口を有し、前記各支持桿が前記折畳み収納位置まで反転する時、前記各支持桿の一端はそれぞれ前記開口に進入することを特徴とする請求項４に記載の折畳み式ランニングマシーン。
【請求項７】
前記各枢接台座は孔を有し、前記各支持桿は螺子孔を有し、前記各支持桿が前記展開位置および第１ポジションに移動する時、前記孔は前記螺子孔に合わせてボルトによって螺合されることを特徴とする請求項４に記載の折畳み式ランニングマシーン。
【請求項８】
前記各支持桿は弾性留め金を有し、前記支持桿に伸出する係止部を有し、前記各枢接台座は２つの孔を有し、前記支持桿が前記第１ポジション及び前記第２ポジションへ回転する時、前記弾性留め金の係止部はそれぞれ前記２つの孔と嵌合することを特徴とする請求項４に記載の折畳み式ランニングマシーン。
【請求項９】
前記各支持桿は彎曲部を有することを特徴とする請求項１に記載の折畳み式ランニングマシーン。
【請求項１０】
前記台座は２つのフックを設け、前記２つの支持桿が折畳み収納位置まで反転する時、前記２つの支持桿の固定が可能であることを特徴とする請求項１に記載の折畳み式ランニングマシーン。
【請求項１１】
折畳み式ランニングマシーンにおいて、
台座と、前記台座に固定されランニングベルトを有するランニング台と、２つの枢接台座とを有する本体と、
一端がそれぞれ前記２つの枢接台座に枢設され、前記ランニング台に向かって折畳み収納位置まで反転し、または前記ランニング台を離れて展開位置まで反転することが可能な２つの支持桿と、
上方に少なくとも１つのスクリーンを有し、前記２つの支持桿が前記展開位置まで反転する時、取り外し可能な方式によって前記２つの支持桿と結合可能なパネルと、
を備えることを特徴とする折畳み式ランニングマシーン。
【請求項１２】
前記２つの支持桿はさらにそれ自身の軸方向に沿って予め定められた角度内で回転することを特徴とする請求項１１に記載の折畳み式ランニングマシーン。
【請求項１３】
前記台座は２つの枢接台座を有し、前記２つの支持桿はそれぞれ前記枢接台座に枢接することを特徴とする請求項１１に記載の折畳み式ランニングマシーン。
【請求項１４】
前記支持桿はそれぞれ２つの溝を有し、止め金によって前記枢接台座および前記２つの溝を貫通し、前記２つの支持桿はさらに支持桿自身の軸方向に沿って第１ポジションと第２ポジションとの間を回転移動することが可能であることを特徴とする請求項１３に記載の折畳み式ランニングマシーン。
【請求項１５】
前記枢接台座はそれぞれ孔を有し、前記支持桿はそれぞれ螺子孔を有し、前記支持桿が前記展開位置に移動する時、前記孔は前記螺子孔に合わせてボルトによって螺合されることを特徴とする請求項１３に記載の折畳み式ランニングマシーン。
【請求項１６】
前記各支持桿は弾性留め金を設け、前記支持桿に伸出する係止部を有し、前記枢接台座は２つの孔を有し、前記支持桿が前記第１ポジション及び前記第２ポジションへ回転する時、前記弾性留め金の係止部はそれぞれ前記２つの孔に嵌合することを特徴とする請求項１４に記載の折畳み式ランニングマシーン。
【請求項１７】
前記支持桿を貫通し、前記パネルの電気回路板と連接する電線をさらに備え、前記電線は前記スクリーンに連接し、前記ランニング台の電気回路板に設置され、前記ランニングベルトを駆動するためのモータと連接することを特徴とする請求項１１に記載の折畳み式ランニングマシーン。
【請求項１８】
前記各枢接台座は開口を有し、前記各支持桿が前記折畳み収納位置まで反転する時、前記各支持桿の一端はそれぞれ前記開口に進入することを特徴とする請求項１３に記載の折畳み式ランニングマシーン。
【請求項１９】
前記各支持桿は彎曲部を有することを特徴とする請求項１１に記載の折畳み式ランニングマシーン。
【請求項２０】
前記台座は２つのフックを設け、前記２つの支持桿が折畳み収納位置まで反転する時、前記２つの支持桿の固定が可能であることを特徴とする請求項１１に記載の折畳み式ランニングマシーン。
【発明の詳細な説明】
【技術分野】
【０００１】
本発明は運動器材に関し、特に折畳み式ランニングマシーンに関する。
【背景技術】
【０００２】
図１は、台座８２を有し、その上に２つの直立桿８４（図中では１つの直立桿のみを示す）が延出している従来の折畳み式ランニングマシーン８０を示す。該２つの直立桿８４の頂端にはパネル８６を設けている。ランニング台８８はその前端が前記台座８２に枢設され、ランニングマシーン８０を地面に置く、あるいは上方へ起こすことが可能であり（図中の破線で示す）、折り畳んで収納された状態を呈す。
【０００３】
しかし、ランニングマシーンを折り畳んで収納する、または広げて展開する場合、ランニング台全体を反転させなければならず、ランニング台の重量が重いため、女性または子供など力が弱い者にとっては骨が折れる作業であった。さらに、このランニングマシーンが折り畳んで収納された状態は直立状であり、外力の衝撃を受けた時、ランニングマシーンが傾いて倒れるという危険が発生する恐れもあった。
【０００４】
特許文献１および特許文献２は、折畳み式のハンドルを有するランニングマシーンを公開しているが、このタイプのランニングマシーンはパネルを有さない。特許文献３および特許文献４は、ハンドルの上にパネルを有する折畳み式のランニングマシーンを公開しているが、折畳む場合、まず先にパネルを一定の角度に回転させ、その後、ハンドルをランニング台に向けて反転させ、パネルがランニング台にぴったりと靠れかかるようにしなければならなかった。
【０００５】
【特許文献１】米国特許第５，５９５，５５６号
【特許文献２】米国特許第６，１８９，８４６号
【特許文献３】米国特許第６，３８３，１２０号
【特許文献４】米国特許第６，４７１，６２２号
【発明の開示】
【発明が解決しようとする課題】
【０００６】
本発明の主な目的は、折畳み式のランニングマシーンを提供することにあり、特に、簡単に折畳んで収納または広げて展開することができるランニングマシーンを提供することにある。
【課題を解決するための手段】
【０００７】
上述の目的を達成するために本発明が提供する折畳み式ランニングマシーンは、台座、および該台座に固定されるランニング台を有する本体を備え、該ランニング台はランニングベルトと、端部がそれぞれ本体に枢設されている２つの支持桿とを有する。各支持桿は支持桿自身の軸方向に沿って第１ポジションと第２ポジションとの間を回転可能で、ランニング台に向かって折畳み収納位置にまで反転、またはランニング台を離れ、ランニングマシーンを広げて展開する位置まで反転することができる。前記支持桿が前記第１ポジションおよびランニングマシーンを広げる位置に移動する時、ランニングマシーンは展開された状態にあり、該支持桿が前記第２ポジションおよび折畳み収納位置に移動する時は、折畳んで収納された状態にある。また、本発明のランニングマシーンはその展開位置と折畳み収納位置の間で反転する２つの支持桿とパネルを有し、前記２つの支持桿が展開位置まで反転する時、前記パネルは取り外し可能な方式により、前記２つの支持桿と結合可能となる。
【発明を実施するための最良の形態】
【０００８】
本発明の構造および特徴を詳細に説明するために、以下に好ましい実施例を挙げながら図面と共に説明する。
図２は、本発明の一実施例が提供する折畳み式ランニングマシーンを示す。該ランニングマシーンは台座１２、およびランニング台３４を有する本体１０を備える。前記台座１２は、Ｕ形を呈するフレーム１４と、該フレーム１４の両端と連接する横支持桿１６とを有する。該フレーム１４の底端には、２つの脚部１８、２つの車輪２０（図中ではそのうち１つのみを示す）、および２つの枢接台座２２を設ける。各枢接台座２２はＵ形片を呈し、その上に開口２４と３つの孔２６、２８、３０（図６を参照）を有する。前記フレーム１４にはそれぞれフック３２を設ける。前記ランニング台３４は、その前段が前記台座１２に固定されている。前記ランニング台３４はランニングベルト３６を有し、モータ（図示せず）の力により回転する。
【０００９】
２つの支持桿３８は、端部がそれぞれ前記台座１２の２つの枢接台座２２に枢設され、その軸方向ｄに沿って第１ポジション（図２と図３に示す）および第２ポジション（図４と図５に示す）間を回転し、展開位置（図２、図３および図４に示す）と折畳み収納位置（図５に示す）との間を反転する。前記各支持桿３８は彎曲部４０を有し、展開された状態においてハンドルの効能を有する。各支持桿３８の外端は連接端４２を有する。
【００１０】
図６で示すように、前記支持桿３８の底端は２つの溝４４を有し、その溝４４の上方に孔４６と螺子孔４８とを有する。ボルト５０は前記枢設台座２２及び前記支持桿３８の２つの溝４４を貫通し、前記ランニング台３４と螺合し、支持桿３８が回転及び反転できるようにする。前記支持桿３８は弾性留め金５２を設け、図７で示すように係止部５４とＵ形を呈するばね５６を有する。該係止部５４は支持桿３８の孔４６より伸出し、前記支持桿３８が展開位置に移動する際、該支持桿３８が第１ポジションと第２ポジションへ回転する時、前記弾性留め金５２の係止部５４はそれぞれ前記枢接台座２２の２つの孔２６、２８に嵌入し、位置決めのために用いられる。このほか、前記支持桿３８が第１ポジションに回転移動する時、該支持桿３８の螺子孔４８は前記枢接台座２２の孔２８と対応し、この時、ボルト５８を利用して螺合し、前記支持桿３８を固定することが可能となる。
【００１１】
パネル６０はその上部にスクリーン、制御キーなどの部材（図示せず）を有し、内部に電気回路板（図示せず）を有する。図８で示すように、該パネル６０の底端は２つのホール６２（図中では１つのみを示す）を有し、前記２つの支持桿３８の連接端４２はパネル６０の２つのホール６２に挿入することができる。また、ボルト６４により螺合され、固定される。電線６６は前記支持桿３８を貫通し、その一端は前記ランニングマシーン３４中のモータの電気回路板（図示せず）に連接し、もう一端は前記連接端４２より伸出し、プラグ６８とコンセント７０により前記電気回路板が延伸する電線７２に連接する。これより、前記パネル６０は前記モータの運行状態を制御することができる。
【００１２】
図２は本実施例のランニングマシーンが展開状態にあるところを示す。前記２つの支持桿３８は展開位置で第１ポジションまで回転移動し、且つパネル６０は支持桿３８に固定される。本実施例のランニングマシーンの折畳み収納時、まず始めにパネル６０および２つのボルト５０を取り外し（図３参照）、続いて前記支持桿３８を第２ポジションまで回転させ（図４参照）、更に該支持桿３８を折畳み収納位置まで反転させ、前記２つのフック３２を支持桿３８に引っ掛ける（図５参照）。このようにして、本実施例のランニングマシーンは折畳み収納された状態におかれる。前記２つの支持桿３８が折畳み収納位置まで反転する時、２つの支持桿３８の一端は前記２つの枢接台座２２の開口２４に進入する（図９参照）。実際の操作では、前記支持桿３８は展開位置から折畳み収納位置まで反転する過程において、同時に前記第１ポジションから第２ポジションに回転移動することが可能である。本実施例のランニングマシーンを折畳み収納状態から広げた展開状態に変える時は、前述の手順を反対の順序で操作し、行えば良い。
【００１３】
以上をまとめると、本実施例のランニングマシーンは広げた展開時と折畳み収納時において、支持桿３８を移動するのみでよく、従来の折畳み式ランニングマシーンのようにランニング台３４全体を移動する必要がない。ゆえに、女性や子供など力が弱い者でも、手軽に本実施例のランニングマシーンを操作することができる。このほか、本実施例のランニングマシーンのランニング台３４は展開状態、または折畳み収納状態のいずれであっても、地面に平らに置かれるため、傾いて倒れるという問題がおこることはない。
【図面の簡単な説明】
【００１４】
【図１】従来のランニングマシーンの概略図である。
【図２】本発明の一実施例によるランニングマシーンの展開状態の立体図である。
【図３】本発明の一実施例によるランニングマシーンのパネルが取り除かれボルトが外されている立体図である。
【図４】本発明の一実施例によるランニングマシーンの２つの支持桿が第２ポジションまで回転させられている立体図である。
【図５】本発明の一実施例によるランニングマシーンの２つの支持桿が折畳み収納位置まで反転させられている立体図である。
【図６】本発明の一実施例によるランニングマシーンの局部分解図である。
【図７】本発明の一実施例によるランニングマシーンの弾性留め金の作用を示す透視図である。
【図８】本発明の一実施例によるランニングマシーンのボトムビュー（底面透視図）である。
【図９】本発明の一実施例によるランニングマシーンの２つの支持桿の一端が枢接台座の開口に進入している局部立体図である。
【符号の説明】
【００１５】
１０  本体、１２  台座、１４  フレーム、１６  横支持桿、１８  脚部、２０  車輪、２２  枢接台座、２４  開口、２６、２８、３０  孔、３２  フック、３４  ランニング台、３６  ランニングベルト、３８  支持桿、４０  彎曲部、３６  連接端、４４  溝、４６  孔、４８  螺子孔、５０  ボルト、５２  弾性留め金、５４  係止部、５６  ばね、５８  ボルト、６０  パネル、６２  ホール、６４  ボルト、６６  電線、６８  プラグ、７０  コンセント、７２  電線
【図１】
2007054272.tif 000003
【図２】
2007054272.tif 000004
【図３】
2007054272.tif 000005
【図４】
2007054272.tif 000006
【図５】
2007054272.tif 000007
【図６】
2007054272.tif 000008
【図７】
2007054272.tif 000009
【図８】
2007054272.tif 000010
【図９】
2007054272.tif 000011